(57)【要約】
【課題】使用時にウエストバンド部の身体へのなじみが良く、かつ、ウエスト部を折り返し或いは巻き込むことでスカート丈を短くしようとすることの出来ないスカートを得る。
【解決手段】スカート本体上端縁を表バンド地と裏バンド地よりなるウエストバンドで挾持し、スカート本体ウエスト部にウエストバンドを一体に縫着してなるスカートにおいて、前記ウエストバンドの表バンド地内面には芯地を熱溶着して積層し、表裏バンド地は、細長いバイアス取りした織布の一側縁を凹形に他側縁を凸形に緩い曲線を画いて裁断し、前記凸形に屈曲した側端縁をスカート本体に縫着してなる。
【選択図】図１
0003100303.tif 000002
【実用新案登録請求の範囲】
【請求項１】
スカート本体上端縁を表バンド地と裏バンド地よりなるウエストバンドで挾持し、スカート本体ウエスト部にウエストバンドを一体に縫着してなるスカートにおいて、前記ウエストバンドの表バンド地内面には芯地を熱溶着して積層し、表裏バンド地は、細長いバイアス取りした織布の一側縁を凹形に他側縁を凸形に緩い曲線を画いて裁断し、前記凸形に屈曲した側端縁をスカート本体に縫着してなることを特徴とするスカート。
【請求項２】
芯地はバイアス取り又は経或いは緯糸方向に添った生地取りをしたことを特徴とする請求項１記載のスカート。
【考案の詳細な説明】
【技術分野】
【０００１】
　本考案はスカート特にウエストバンド部に特徴を有するスカートに関する。
【背景技術】
【０００２】
　従来女子の学生服に用いられているオールプリーツスカートには、プリーツの幅が上下で一定であるものと、プリーツの幅を裾の部分がヒップの部分よりも大きいテーパードプリーツとがあるが、いずれも図４に示す連続した波状に生地を折り畳みプリーツを付け筒状としたスカート本体１０１のウエスト部１０２にウエストバンド１０３を縫着し、ウエストバンド１０３の長さを着用者に合わせている。
【０００３】
　ウエストバンド１０３は、スカート本体１０１のウエスト部１０２端部をその両側から表側バンド地と裏側バンド地で挟む形で、或いは２つ折りにしたバンド地で包む形で作られているが、バンド地は織布の経糸或いは緯糸の長さ方向と生地の長さ方向とを一致させた帯状のものでありそれを縫着したウエスト部１０２は、ウエストバンド１０３の上端縁外周も下端縁外周も同一長さとなる。そのためにウエストバンド１０３は筒状体をその軸先と直角な面で切った状態となり、周面は垂直面を形成することになる。
【０００４】
　然しながら人体のウエスト部分は截頭円錐形状の周面をなしているためにウエストバンド１０３と身体面とのなじみが充分でない。
　また、女子学生が制服のスカートを着用した際にはスカート丈が長過ぎると思っている者が多く、密かにそれを短くすべく、ウエストバンド１０３の部分を折り返すことが行なわれている。前記したウエスト部周面が垂直面を構成しているスカートであれば上記の折り返しが容易であり、そのような行為を行うことが出来ない製品が望まれていた。
【特許文献１】特開２５７９４５４公報
【考案の開示】
【考案が解決しようとする課題】
【０００５】
　本考案は上記の点に鑑みて、使用時にウエストバンド部の身体へのなじみが良く、かつ、ウエスト部を折り返し或いは巻き込むことでスカート丈を短くしようとすることの出来ないスカートを得ることを目的とする。
【課題を解決するための手段】
【０００６】
　スカート本体上端縁を表バンド地と裏バンド地よりなるウエストバンドで挾持し、スカート本体ウエスト部にウエストバンドを一体に縫着してなるスカートにおいて、前記ウエストバンドの表バンド地内面には芯地を熱溶着して積層し、表裏バンド地は、細長いバイアス取りした織布の一側縁を凹形に他側縁を凸形に緩い曲線を画いて裁断し、前記凸形に屈曲した側端縁をスカート本体に縫着してなる。
【考案の効果】
【０００７】
　スカート本体上端縁を表バンド地と裏バンド地よりなるウエストバンドで挾持し、スカート本体ウエスト部にウエストバンドを一体に縫着してなるスカートにおいて、前記ウエストバンドの表バンド地内面には芯地を熱溶着して積層し、表裏バンド地は、バイアス取りした織布の一側縁を凹形に他側縁を凸形に緩い曲線を画いて裁断し、前記凸形に屈曲した側端縁をスカート本体に縫着してなるために、着用時にウエストバンド部の身体へのなじみが良く、かつ、ウエストバンド部が上方が斜にすぼまる形状となるために、ウエスト部を折り返した巻き込むことでスカート丈を短くしようとすることが出来ないため女子校の制服などに利用して有効である。
【考案を実施するための最良の形態】
【０００８】
　本考案スカート１の実施の形態を図面と共に以下説明する。
　本考案スカート１は、スカート本体２の上端部に設けたウエストバンドに特徴を有するものであって、スカート１はプリーツスカートでもフレアースカートでも更にはタイトスカートでも同様に実施することが出来るが、実施の形態の一つとしてプリーツスカートへの実施について以下説明する。
【０００９】
　２はスカート本体で、図１Ａに示す例は所定幅に生地が折り畳まれ環状に縫製されたプリーツスカートで、その上端縁３にウエストバンド４が縫着されている。ウエストバンド４の両端にはフックその他の係止具（図示せず）が設けられ、スカート着用時両端の係止具を止めることで身体のウエスト部を緊締状態にしてスカート１を着用出来る。
【００１０】
　ウエストバンド４はスカート１のウエスト部の長さの約半分の長さのものを２本継ぎ合わせた状態で作成されている。５はウエストバンド４の表バンド地で図１Ｂに示し如く、胴回り方向に細長く延びる帯状体であって、長手方向に延びる一側縁を緩い曲線を画いて凹形に屈曲した凹形側縁６とし他側縁を緩い曲線を画いて凸形に屈曲した凸形側縁７とし、織布の長手方向に対して経緯糸が４５°の方向で交差するような裁断をしたバイアス取りがされている。
【００１１】
　裏バンド地８も表バンド地５と同形をなしたバイアス布である。９は芯地であって、表裏バント地５，８と同様の凹形側縁１０と凸形側縁１１とを有し、表裏バンド地５，８より小さく、織布或いは不織布で作られている。織布の場合表裏バンド地５，８と同様バイアス布とするのが望ましい。芯地９の表面には熱溶着性の樹脂が塗付されており、表バンド地５の内面に芯地９を重ね加熱圧接して両者を接着する。この際芯地９の周囲には表バンド地５の周縁部分が折り返し部１２として残るので折り返し部１２は芯地９を貼り付けた面側に折り返す。裏バンド地８には芯地９を接着せず周縁を折り返す。そして、表裏バンド５，８がウエスト部の全長に相当する長さを有しないときは適宜それを必要長さ分（図示の例では２枚）縫着しておく。
【００１２】
　次に、前記表裏バンド地５，８をスカート本体２の上端縁３の両側を挾持するように上端縁３をカバーする。この際スカート本体２の上端縁３はプリーツが乱れないようにステッチ１４が入れられている。
【００１３】
　スカート本体２の上端縁３を挾持したウエストバンド４はその下端の折り返し１２の部分を通してステッチ１５を入れてスカート本体２とウエストバンド４とを一体とする。そして、表バンド地４と裏バンド地８の凹形側縁６の折り返し部１２を重ね合わせた状態で表バンド地４と裏バンド地８の凹形側縁６に添ってステッチ１３を入れ表裏バンド地５，８を一体に縫合する。
【００１４】
　これによって、本考案スカート１はスカート本体２の上端縁３に凹形の緩い曲線を画いたウエストバンド４が縫着されることになり、そのため、ウエストバンド４の部分はあたかも裁頭円錐形の周面の如き上部が斜めにすぼまる形状となり、かつ、ウエストバンド４の表裏バンド地５，８がバイアスとりした織地で構成されていることと相俟って人体のウエスト部の形状にマッチし着用時になじみが良く使用できる。
【００１５】
　また、前記した如く上部が斜めにすぼまる形状となるために、スカート着用者が好みよりスカート丈を短く着用しようとしてウエスト部の生地を折り返そうとしても折り返しが完全には行なえない。
【産業上の利用可能性】
【００１６】
　本考案スカートは、女子校の制服などとして使用した場合に服装の規制上有効である。
【図面の簡単な説明】
【００１７】
【図１】Ａは本考案スカートの正面図、Ｂはウエストバンドの表及び裏バンド地の正面図、Ｃはウエストバンドの芯地の正面図、Ｄはウエストバンドの表バンド地に芯地を溶接した状態の正面図。
【図２】図１ＡのＩＩ−ＩＩ線断面図。
【図３】図１ＡのＩＩＩ−ＩＩＩ線断面図。
【図４】従来のスカートの正面図。
【符号の説明】
【００１８】
　１　スカート
　２　スカート本体
　３　スカート本体上端縁
　４　ウエストバンド
　５　表バンド地
　６，１０　凹形側縁
　７，１１　凸形側縁
　８　裏バンド地
　９　芯地
　１２　折り返し部
　１３，１４，１５　ステッチ
【図１】
0003100303.tif 000003
【図２】
0003100303.tif 000004
【図３】
0003100303.tif 000005
【図４】
0003100303.tif 000006